【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
当該植物の葉体にＬＥＤの青色光を一平面状より夜間に照射し、フェノール含有量を増加せしめ害虫たる成虫や孵化幼虫に、当該植物の葉液を吸汁させ害虫たる成虫や孵化幼虫の生育を抑制せしめながら死滅させる光利用の害虫防除の方法。
【請求項２】
当該植物の葉体にＬＥＤの緑色光を一平面状より夜間に照射し、フェノール含有量を増加せしめ害虫たる成虫や孵化幼虫に、当該植物の葉液を吸汁させ害虫たる成や孵化幼虫の生育を抑制せしめながら死滅させる光利用の害虫防除の方法。
【請求項３】
ＬＥＤの青色光とＬＥＤの緑色光とを一平面状より植物の葉体に夜間に照射しフェノール含有量を増加せしめ害虫たる成虫や孵化幼虫に、当該植物の葉液を吸汁させ害虫たる成虫や孵化幼虫の生育を抑制せしめながら死滅させる光利用の害虫防除の方法。
【請求項４】
請求項１記載のＬＥＤの青色光の波長が最大ピーク４４３ｎｍで４３０ｎｍ〜４６０ｎｍであることを特徴した請求項１記載の光利用の害虫防除の方法。
【請求項５】
請求項２記載のＬＥＤの緑色光の波長が最大ピーク５１８ｎｍで４８０ｎｍ〜５６０ｎｍであることを特徴した請求項２記載の光利用の害虫防除の方法。
【請求項６】
ＬＥＤの青色光とＬＥＤの緑色光とを一平面状より植物の葉体に夜間に照射し、請求項４、請求項５記載の光利用の害虫防除の方法。
【請求項７】
植物の葉体に夜間に照射する光の光量子量は２μｍｏｌ／ｍ２／ｓ以上で８μｍｏｌ／ｍ２／ｓ以下であることを特徴とする請求項１、請求項２、請求項３、請求項４、請求項５、請求項６記載の光利用の害虫防除の方法。
【請求項８】
緑色光の緑色ＬＥＤと黄色光の黄色ＬＥＤが配置、設置されている、緑色光と黄色光の複合光線を有する当該ＬＥＤであり、緑色光の緑色ＬＥＤに対して黄色光の黄色ＬＥＤの配置、設置割合は少であり、配列にては、当該緑色ＬＥＤに対して当該黄色ＬＥＤは、少なる配置割合を保持しつつ数回繰り返し置き並べられて設置されているＬＥＤの照明装置である。
当該ＬＥＤの緑色光線と当該ＬＥＤ黄色光線との複合光線を有する当該ＬＥＤである照明装置にて、緑色光線と黄色光線の複合光線を、植物に一平面状より夜間照射し、フェノール含有量を増加せしめ害虫たる成虫や孵化幼虫に、当該植物の葉液を吸汁させ害虫たる成虫や孵化幼虫の生育を抑制せしめながら死滅させる光利用のフェノール含有量増加の方法。
【請求項９】
緑色光の緑色ＬＥＤと赤色光の赤色ＬＥＤが配置、設置されている、緑色光と赤色光の複合光線を有する当該ＬＥＤであり、緑色光の緑色ＬＥＤに対して赤色光の赤色ＬＥＤの配置、設置割合は少であり、配列にては、当該緑色ＬＥＤに対して当該赤色ＬＥＤは、少なる配置割合を保持しつつ数回繰り返し置き並べられて設置されているＬＥＤの照明装置である。
当該ＬＥＤの緑色光線と当該ＬＥＤ赤色光線との複合光線を有する当該ＬＥＤである照明装置にて、緑色光線と赤色光線の複合光線を、植物に一平面状より夜間照射し、フェノール含有量を増加せしめ害虫たる成虫や孵化幼虫に、当該植物の葉液を吸汁させ害虫たる成虫や孵化幼虫の生育を抑制せしめながら死滅させる光利用のフェノール含有量増加の方法。
【請求項１０】
緑色光の緑色ＬＥＤと黄色光の黄色ＬＥＤが配置、設置されている、緑色光と黄色光の複合光線を有する当該ＬＥＤであり、緑色光の緑色ＬＥＤに対して黄色光の黄色ＬＥＤの配置、設置割合は少であり、配列にては、当該緑色ＬＥＤに対して当該黄色ＬＥＤは、少なる配置割合を保持しつつ数回繰り返し置き並べられて設置されているＬＥＤの照明装置である。
当該ＬＥＤの緑色光線と当該ＬＥＤ黄色光線との複合光線を有する照明装置である当該ＬＥＤと青色ＬＥＤの青色光線を有するＬＥＤとを一平面状に置き並べ植物に夜間照射し、フェノール含有量を増加せしめ害虫たる成虫や孵化幼虫に、当該植物の葉液を吸汁させ害虫たる成虫や孵化幼虫の生育を抑制せしめながら死滅させる光利用のフェノール含有量増加の方法。
【請求項１１】
緑色光の緑色ＬＥＤと赤色光の赤色ＬＥＤが配置、設置されている、緑色光と赤色光の複合光線を有する当該ＬＥＤであり、緑色光の緑色ＬＥＤに対して赤色光の赤色ＬＥＤの配置、設置割合は少であり、配列にては、当該緑色ＬＥＤに対して当該赤色ＬＥＤは、少なる配置割合を保持しつつ数回繰り返し置き並べられて設置されているＬＥＤの照明装置である。
当該ＬＥＤの緑色光線と当該ＬＥＤ赤色光線との複合光線を有する照明装置である当該ＬＥＤと青色ＬＥＤの青色光線を有するＬＥＤとを植物に一平面状に置き並べ夜間照射し、フェノール含有量を増加せしめ害虫たる成虫や孵化幼虫に、当該植物の葉液を吸汁させ害虫たる成虫や孵化幼虫の生育を抑制せしめながら死滅させる光利用のフェノール含有量増加の方法。
【請求項１２】
青色光の青色ＬＥＤと黄色光の黄色ＬＥＤが配置、設置されている、青色光と黄色光の複合光線を有する当該ＬＥＤであり、青色光の青色ＬＥＤに対して黄色光の黄色ＬＥＤの配置、設置割合は少であり、配列にては、当該青色ＬＥＤに対して当該黄色ＬＥＤは、少なる配置割合を保持しつつ数回繰り返し置き並べられて設置されているＬＥＤの照明装置である。
当該ＬＥＤの青色光線と当該ＬＥＤ黄色光線との複合光線を有する当該ＬＥＤである照明装置にて、青色光線と黄色光線の複合光線を、植物に一平面状より夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項１３】
青色光の青色ＬＥＤと赤色光の赤色ＬＥＤが配置、設置されている、青色光と赤色光の複合光線を有する当該ＬＥＤであり、青色光の青色ＬＥＤに対して赤色光の赤色ＬＥＤの配置、設置割合は少であり、配列にては、当該青色ＬＥＤに対して当該赤色ＬＥＤは、少なる配置割合を保持しつつ数回繰り返し置き並べられて設置されているＬＥＤの照明装置である。
当該ＬＥＤの青色光線と当該ＬＥＤ赤色光線との複合光線を有する当該ＬＥＤである照明装置にて、青色光線と赤色光線の複合光線を、植物に一平面状より夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項１４】
青色光の青色ＬＥＤと黄色光の黄色ＬＥＤが配置、設置されている、青色光と黄色光の複合光線を有する当該ＬＥＤであり、青色光の青色ＬＥＤに対して黄色光の黄色ＬＥＤの配置、設置割合は少であり、配列にては、当該青色ＬＥＤに対して当該黄色ＬＥＤは、少なる配置割合を保持しつつ数回繰り返し置き並べられて設置されているＬＥＤの照明装置である。
当該ＬＥＤの青色光線と当該ＬＥＤ黄色光線との複合光線を有する照明装置である当該ＬＥＤと青色ＬＥＤの青色光線を有するＬＥＤとを一平面状に置き並べ植物に夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項１５】
青色光の青色ＬＥＤと赤色光の赤色ＬＥＤが配置、設置されている、青色光と赤色光の複合光線を有する当該ＬＥＤであり、青色光の青色ＬＥＤに対して赤色光の赤色ＬＥＤの配置、設置割合は少であり、配列にては、当該青色ＬＥＤに対して当該赤色ＬＥＤは、少なる配置割合を保持しつつ数回繰り返し置き並べられて設置されているＬＥＤの照明装置である。
当該ＬＥＤの青色光線と当該ＬＥＤ赤色光線との複合光線を有する照明装置である当該ＬＥＤと青色ＬＥＤの青色光線を有するＬＥＤとを一平面状に置き並べ植物に夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項１６】
青色光の青色ＬＥＤと緑色光の緑色ＬＥＤが配置、設置されているＬＥＤであり、青色光の青色ＬＥＤに対して緑色光の緑色ＬＥＤの配置、設置割合は少であり、配列にては、当該青色ＬＥＤに対して当該緑色ＬＥＤは、少なる配置割合を保持しつつ数回繰り返し置き並べられて設置されている照明装置である。
当該ＬＥＤの青光線と緑色光線の複合光線を有する当該ＬＥＤの複合光線を当該植物に一平面状より夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項１７】
植物に夜間に照射する光の光量子量は２μｍｏｌ／ｍ２／ｓ以上で８μｍｏｌ／ｍ２／ｓ以下であることを特徴とする請求項８、請求項９、請求項１０、請求項１１請求項１２、請求項１３、請求項１４、請求項１５，請求項１６記載の光利用の装置にてのフェノール含有量増加の方法。
【請求項１８】
緑色光の緑色ＬＥＤと黄色光の黄色ＬＥＤが配置、設置されている、緑色光と黄色光の複合光線を有する当該ＬＥＤであり、緑色光の緑色ＬＥＤに対して黄色光の黄色ＬＥＤの配置、設置割合は少であり、配列にては、当該緑色ＬＥＤに対して当該黄色ＬＥＤは、少なる配置割合を保持しつつ数回繰り返し置き並べられて設置されているＬＥＤの照明装置である。
当該ＬＥＤの緑色光線と当該ＬＥＤ黄色光線との複合光線を有する当該ＬＥＤである照明装置にて、緑色光線と黄色光線の複合光線を、植物に一平面状より夜間照射し、植物育成制御のための当該植物に光利用のケルダール窒素の含有量を増加の方法。
【請求項１９】
緑色光の緑色ＬＥＤと赤色光の赤色ＬＥＤが配置、設置されている、緑色光と赤色光の複合光線を有する当該ＬＥＤであり、緑色光の緑色ＬＥＤに対して赤色光の赤色ＬＥＤの配置、設置割合は少であり、配列にては、当該緑色ＬＥＤに対して当該赤色ＬＥＤは、少なる配置割合を保持しつつ数回繰り返し置き並べられて設置されているＬＥＤの照明装置である。
当該ＬＥＤの緑色光線と当該ＬＥＤ赤色光線との複合光線を有する当該ＬＥＤである照明装置にて、緑色光線と赤色光線の複合光線を、植物に一平面状より夜間照射し、植物育成制御のための当該植物に光利用のケルダール窒素の含有量を増加の方法。
【請求項２０】
緑色光の緑色ＬＥＤと黄色光の黄色ＬＥＤが配置、設置されている、緑色光と黄色光の複合光線を有する当該ＬＥＤであり、緑色光の緑色ＬＥＤに対して黄色光の黄色ＬＥＤの配置、設置割合は少であり、配列にては、当該緑色ＬＥＤに対して当該黄色ＬＥＤは、少なる配置割合を保持しつつ数回繰り返し置き並べられて設置されているＬＥＤの照明装置である。
当該ＬＥＤの緑色光線と当該ＬＥＤ黄色光線との複合光線を有する照明装置である当該ＬＥＤと青色ＬＥＤの青色光線を有するＬＥＤとを一平面状に置き並べ植物に夜間照射し、植物育成制御のための当該植物に光利用のケルダール窒素の含有量を増加の方法。
【請求項２１】
緑色光の緑色ＬＥＤと赤色光の赤色ＬＥＤが配置、設置されている、緑色光と赤色光の複合光線を有する当該ＬＥＤであり、緑色光の緑色ＬＥＤに対して赤色光の赤色ＬＥＤの配置、設置割合は少であり、配列にては、当該緑色ＬＥＤに対して当該赤色ＬＥＤは、少なる配置割合を保持しつつ数回繰り返し置き並べられて設置されているＬＥＤの照明装置である。
当該ＬＥＤの緑色光線と当該ＬＥＤ赤色光線との複合光線を有する照明装置である当該ＬＥＤと青色ＬＥＤの青色光線を有するＬＥＤとを植物に一平面状に置き並べ夜間照射し、植物育成制御のための当該植物に光利用のケルダール窒素の含有量を増加の方法。
【請求項２２】
緑色光の緑色ＬＥＤと青色光の青色ＬＥＤが配置されているＬＥＤであり、緑色光の緑色ＬＥＤに対して青色光の青色ＬＥＤの設置割合は少であり、配列にては、当該緑色ＬＥＤに対して当該青色ＬＥＤは、少なる配置割合を保持しつつ数回繰り返し置き並べられて設置されている照明装置である。
当該ＬＥＤの緑光線と青色光線との複合光線を有する当該ＬＥＤの複合光線を当該植物に一平面状より夜間照射し、植物育成制御のための当該植物に光利用のケルダール窒素の含有量を増加の方法。
【請求項２３】
緑色光の緑色ＬＥＤと青色光の青色ＬＥＤが配置、設置されている、緑色光と青色光の複合光線を有する当該ＬＥＤであり、緑色光の緑色ＬＥＤに対して青色光の青色ＬＥＤの配置、設置割合は少であり、配列にては、当該緑色ＬＥＤに対して当該青色ＬＥＤは、少なる配置割合を保持しつつ数回繰り返し置き並べられて設置されているＬＥＤの照明装置である。
当該ＬＥＤの緑色光線と当該ＬＥＤ青色光線との複合光線を有する照明装置である当該ＬＥＤと緑色ＬＥＤの緑色光線を有するＬＥＤとを一平面状に置き並べ植物に夜間照射し、植物育成制御のための当該植物に光利用のケルダール窒素の含有量を増加の方法。
【請求項２４】
植物に夜間に照射する光の光量子量は２μｍｏｌ／ｍ２／ｓ以上で８μｍｏｌ／ｍ２／ｓ以下であることを特徴とする請求項１８記載、請求項１９記載、請求項２０、請求項２１、請求項２２、請求項２３、記載の植物育成制御のための当該植物光利用の装置にてのケルダール窒素の含有量を増加の方法。